(57)【要約】【課題】  放射線撮影装置で異常が検知された際の異常情報と、異常が検知されたときの検査情報とを対応付けることが可能な放射線撮影技術を提供する。【解決手段】被検体を透過した放射線を検出して放射線画像を得る放射線撮影装置と、放射線撮影装置の制御を行う制御装置とを有する放射線撮影システムは、放射線撮影装置で発生した異常を示す異常情報を取得する異常情報取得部と、制御装置で記憶している被検体の検査情報から異常情報に対応する検査情報を取得する検査情報取得部と、を備える。【選択図】  図１
2017170118.tif 000002
【特許請求の範囲】
【請求項１】
被検体を透過した放射線を検出して放射線画像を得る放射線撮影装置と、前記放射線撮影装置の制御を行う制御装置とを有する放射線撮影システムであって、
前記放射線撮影装置で発生した異常を示す異常情報を取得する異常情報取得手段と、
前記制御装置で記憶している検査情報から前記異常情報に対応する検査情報を取得する検査情報取得手段と、
を備えることを特徴とする放射線撮影システム。
【請求項２】
前記放射線撮影装置は、
前記放射線撮影装置で発生した異常を検知する異常検知手段と、
前記異常検知手段の出力結果に基づいて、前記異常の種別を判定する種別判定手段と、
前記発生した異常の検知日時を示す情報を取得する日時取得手段と、を更に備え、
前記異常情報取得手段は、前記異常の種別の判定結果および前記異常の検知日時を示す情報に基づいて、前記異常情報を取得することを特徴とする請求項１に記載の放射線撮影システム。
【請求項３】
前記異常検知手段は、
異常を検知するために複数のセンサーを有し、
前記複数のセンサーの計測結果と、異常検知の基準となる閾値とを比較して、計測結果が閾値を超えた場合に、異常検知と判定することを特徴とする請求項２に記載の放射線撮影システム。
【請求項４】
前記異常検知手段は、複数のセンサーの計測結果を識別するための情報を前記異常検知の判定結果に付加して出力することを特徴とする請求項３に記載の放射線撮影システム。
【請求項５】
前記種別判定手段は、前記計測結果を識別するための情報に基づいて、前記異常の種別を判定することを特徴とする請求項４に記載の放射線撮影システム。
【請求項６】
前記異常情報に前記取得された検査情報を付与した特定情報を生成する付与手段を更に備えることを特徴とする請求項１に記載の放射線撮影システム。
【請求項７】
前記制御装置は、
前記放射線画像または前記異常情報の受信処理、および前記特定情報の出力処理を制御する送受信制御手段を更に備えることを特徴とする請求項６に記載の放射線撮影システム。
【請求項８】
前記制御装置から出力された特定情報を記憶する外部の記憶手段を更に備えることを特徴とする請求項７に記載の放射線撮影システム。
【請求項９】
前記外部の記憶手段は、複数の制御装置とネットワークを介して接続し、前記複数の制御装置から取得した複数の特定情報を、一つに統合した特定情報として記憶することを特徴とする請求項８に記載の放射線撮影システム。
【請求項１０】
前記制御装置は、
前記外部の記憶手段から特定情報を取得する特定情報取得手段と、
前記付与手段で生成された特定情報と、前記外部の記憶手段から取得した特定情報とを一つの特定情報として統合する統合手段と、
を更に備え、
前記制御装置の出力手段は、前記統合された特定情報を前記外部の記憶手段に出力することを特徴とする請求項８または９に記載の放射線撮影システム。
【請求項１１】
前記検査情報には、前記制御装置の使用者の情報、撮影条件を示す情報、被検者の撮影部位を示す情報、および撮影場所を示す情報、放射線撮影システムの検査スケジュールの情報、検査で使用する放射線撮影装置の情報が含まれることを特徴とする請求項１乃至１０のいずれか１項に記載の放射線撮影システム。
【請求項１２】
前記異常検知手段は、
異常を検知するためのセンサーとして、衝撃の異常を検知するための加速度センサー、温度の異常を検知するための温度センサー、通信の異常を検知するために、通信が所定の時間内に完了したか否かを計測する通信時間計測部、バッテリーの充電不足の異常を検知する充電量検知部を有することを特徴とする請求項３または４に記載の放射線撮影システム。
【請求項１３】
前記異常情報に対応する検査情報には、前記異常を発生させた前記放射線撮影装置の使用者の情報が含まれることを特徴とする請求項１に記載の放射線撮影システム。
【請求項１４】
前記異常情報に対応する検査情報に基づいて、前記異常を発生させた前記放射線撮影装置の使用者を特定する特定手段を更に備えることを特徴とする請求項１に記載の放射線撮影システム。
【請求項１５】
前記特定手段は、使用者により入力された認証情報の履歴に基づいて、前記放射線撮影装置を最後に使用した使用者を特定することを特徴とする請求項１４に記載の放射線撮影システム。
【請求項１６】
前記放射線撮影装置に異常を発生させた使用者の異常検知回数を計測する計測手段を更に備えることを特徴とする請求項１４または１５に記載の放射線撮影システム。
【請求項１７】
前記入力された認証情報に基づいて、前記使用者による前記放射線撮影装置の使用が許可されることを特徴とする請求項１５に記載の放射線撮影システム。
【請求項１８】
前記異常情報には、異常のレベルを示す情報が含まれ、前記異常情報に対応する検査情報には、前記異常を発生させた前記放射線撮影装置の使用者の情報が含まれ、
前記特定手段は、前記異常のレベルを示す情報に基づいて、発生した異常のうち最も大きい異常を発生させた前記放射線撮影装置の使用者を特定することを特徴とする請求項１４乃至１７のいずれか１項に記載の放射線撮影システム。
【請求項１９】
被検体を透過した放射線を検出して放射線画像を得る放射線撮影装置の制御を行う制御装置であって、
前記制御装置で記憶している検査情報から、前記放射線撮影装置で発生した異常を示す異常情報に対応する検査情報を取得する取得手段を備えることを特徴とする制御装置。
【請求項２０】
被検体を透過した放射線を検出して放射線画像を得る放射線撮影装置における情報処理方法であって、
前記放射線撮影装置で発生した異常を示す異常情報を取得する工程と、
記憶手段で記憶している検査情報から前記異常情報に対応する検査情報を取得する工程と、
を有することを特徴とする情報処理方法。
【請求項２１】
コンピュータに、被検体を透過した放射線を検出して放射線画像を得る放射線撮影装置における情報処理方法の各工程を実行させるためのプログラムであって、前記情報処理方法が、
前記放射線撮影装置で発生した異常を示す異常情報を取得する工程と、
記憶手段で記憶している検査情報から前記異常情報に対応する検査情報を取得する工程と、
を有することを特徴とするプログラム。
【発明の詳細な説明】
【技術分野】
【０００１】
本発明は、放射線撮影システム、制御装置、情報処理方法及びプログラムに関する。
【背景技術】
【０００２】
放射線撮影装置の画像記録媒体としてフィルムカセッテに替わってフラットパネル型の放射線検出器を用いた放射線撮影装置が提案されている。フラットパネル型の放射線撮影装置は移動して取り扱われることが多いが、取り扱い時において衝撃などが加えられたり、使用環境の温度や電波などの要因等により、放射線撮影装置の正常な動作に影響が及ぶ場合が生じ得る。
【０００３】
特許文献１では、放射線検出器に異常がある場合は放射線の照射を禁止するために、放射線照射タイミングを制御する制御装置と、放射線撮影装置内に動作可否状態を診断するための自己診断回路を有する構成が開示されている。
【先行技術文献】
【特許文献】
【０００４】
【特許文献１】特願２００５−１７７３７９号公報
【発明の概要】
【発明が解決しようとする課題】
【０００５】
しかしながら、特許文献１の構成では、放射線撮影装置で異常が検知されたときの撮影条件や撮影場所、被検者の撮影部位などの情報を含む検査情報を特定することができない。このため、検査情報に基づいて放射線撮影を行う際の撮影実施者の運用方法や、撮影場所等に異常発生の原因がある場合は、同様の異常が再発する可能性がある。
【０００６】
本発明は、上記問題点を鑑みてなされたものであり、放射線撮影装置で異常が検知された際の異常情報と、異常が検知されたときの検査情報とを対応付けることが可能な放射線撮影技術を提供する。
【課題を解決するための手段】
【０００７】
本発明の一態様による放射線撮影システムは、被検体を透過した放射線を検出して放射線画像を得る放射線撮影装置と、前記放射線撮影装置の制御を行う制御装置とを有する放射線撮影システムであって、
前記放射線撮影装置で発生した異常を示す異常情報を取得する異常情報取得手段と、
前記制御装置で記憶している検査情報から前記異常情報に対応する検査情報を取得する検査情報取得手段と、
を備えることを特徴とする。
【発明の効果】
【０００８】
本発明によれば、放射線撮影装置で異常が検知された際の異常情報と、異常が検知されたときの検査情報とを対応付けることが可能になる。
【０００９】
また、本発明によれば、異常情報と、異常が検知されたときの検査情報とを対応付けて出力することにより、異常が検知されたときの検査情報を特定することができる。
【００１０】
また、異常を発生させた放射線撮影装置の使用者を特定することが可能になる。
【図面の簡単な説明】
【００１１】
【図１】第１実施形態における放射線撮影システムの構成図。
【図２】第１実施形態における放射線撮影装置の構成図。
【図３】第１実施形態における制御装置の制御部の構成図。
【図４】第１実施形態における情報処理方法の処理の流れを説明する図。
【図５】異常情報および特定情報の一例を示した図。
【図６】第２実施形態における放射線撮影装置の構成図。
【図７】第２実施形態における情報処理方法の処理の流れを説明する図。
【図８】第３実施形態における放射線撮影システムの構成図。
【図９】第３実施形態における制御装置の制御部の構成図。
【図１０】第３実施形態における情報処理方法の処理の流れを説明する図。
【図１１】第４実施形態における異常情報および特定情報の一例を示す図。
【図１２】第４実施形態における制御装置の制御部の構成図。
【図１３】第４実施形態における放射線撮影システムの構成図。
【発明を実施するための形態】
【００１２】
以下、図面を参照して、本発明の実施形態を例示的に詳しく説明する。ただし、この実施形態に記載されている構成要素はあくまで例示であり、本発明の技術的範囲は、特許請求の範囲によって確定されるのであって、以下の個別の実施形態によって限定されるわけではない。本明細書において、放射線は、Ｘ線に限らず、例えば、電磁波やα線、β線、γ線などであってもよい。
【００１３】
以下、図を参照しながら実施形態に係る放射線撮影システムの構成について説明する。放射線撮影システムの構成を放射線撮影装置という場合もあるが、以下の説明では、放射線撮影システムとして説明する。
【００１４】
（第１実施形態）
本実施形態では、放射線撮影装置で異常が検知された際の異常情報と、異常が検知されたときの検査情報とを対応付ける放射線撮影システムの構成を説明する。図１は、第１実施形態の放射線撮影システム１０１の構成を示す図である。放射線撮影システム１０１は、被検体を透過した放射線を検出して放射線画像を得る検出装置（放射線撮影装置１０６）と、検出装置（放射線撮影装置１０６）の制御を行う制御装置１０７とを有する。本実施形態の放射線撮影システム１０１は、検出装置（放射線撮影装置１０６）で発生した異常を示す異常情報を取得する異常情報取得部（データ制御部２０７）と、制御装置１０７で記憶している被検体の検査情報から異常情報に対応する検査情報を取得する取得部（検査情報取得部３０１）とを有する。また、放射線撮影システム１０１は、異常情報に、取得部（検査情報取得部３０１）で取得された検査情報を付与した特定情報を生成する付与部（検査情報付与部３０２）を有する。また、放射線撮影システム１０１は、構成要素として、放射線発生装置１０２、放射線照射スイッチ１０３、放射線制御部１０４、テーブル１０５、操作部１０８および表示部１０９を有する。
【００１５】
放射線発生装置１０２は、放射線制御部１０４から検査情報に基づく照射制御情報を受信し、撮影準備処理を行う。放射線発生装置１０２は、放射線制御部１０４の制御に基づいて、放射線の照射開始・照射停止を行う。また、放射線発生装置１０２は、放射線の照射に伴い、管電圧、管電流などの照射情報を放射線制御部１０４へ送信する。放射線制御部１０４は、放射線発生装置１０２から送信される管電圧、管電流などの照射情報を取得し、放射線制御部１０４は、放射線発生装置１０２から取得した照射情報を制御装置１０７に送信する。制御装置１０７は、放射線制御部１０４から取得した照射情報を記憶部の検査情報とともに記憶する。
【００１６】
検査情報には、例えば、制御装置１０７の使用者の情報、撮影条件を示す情報、被検者の撮影部位を示す情報、撮影場所を示す情報、放射線撮影システムの検査スケジュールの情報、検査で使用する放射線撮影装置１０６の情報が含まれる。
【００１７】
放射線照射スイッチ１０３は、照射開始通知、または照射終了通知を放射線制御部１０４へ送信する。使用者が放射線照射スイッチ１０３を押すと、放射線照射スイッチ１０３は照射開始通知を放射線制御部１０４へ送信する。また、使用者が放射線照射スイッチ１０３を離すと、放射線照射スイッチ１０３は照射終了通知を放射線制御部１０４へ送信する。放射線制御部１０４は、放射線照射スイッチ１０３から送信される照射開始通知、または照射終了通知を取得し、放射線照射スイッチ１０３からの通知（照射開始通知または照射終了通知）に基づいて、放射線発生装置１０２の放射線照射を制御する。
【００１８】
放射線制御部１０４は、放射線発生装置１０２、放射線照射スイッチ１０３および制御装置１０７と接続され、放射線制御部１０４は、放射線発生装置１０２から送信される照射情報を制御装置１０７に送信する。また、放射線制御部１０４は、制御装置１０７から検査における撮影条件（プロトコル）や被検者の撮影部位に関する情報を受信し、受信した撮影条件、および撮影部位に関する情報に基づく照射制御情報を放射線発生装置１０２へ送信する。放射線発生装置１０２は、放射線制御部１０４から受信した照射制御情報に基づいて、撮影準備処理を行う。
【００１９】
テーブル１０５は被検体Ｈを載せるための架台である。放射線撮影装置１０６は被検体Ｈを透過した放射線を検出し、放射線画像データへ変換する。放射線撮影装置１０６は制御装置１０７と接続しており、放射線撮影装置１０６は放射線画像データを制御装置１０７へ送信する。また、放射線撮影装置１０６は、放射線撮影装置１０６内の異常を検知すると、そのときの日時と異常の種別を判定し、異常情報を取得する。
【００２０】
放射線撮影装置１０６は、制御装置１０７との間で、ケーブルによる有線通信、あるいは無線通信により通信可能である。放射線撮影装置１０６は、放射線画像データもしくは異常情報を、有線通信あるいは無線通信により制御装置１０７に送信する。また、放射線撮影装置１０６は、放射線画像データもしくは異常情報を、放射線撮影装置１０６内の記憶部に記憶することも可能である。例えば、通信状況により、放射線撮影装置１０６が制御装置１０７と通信できない状態にある場合、放射線撮影装置１０６は、内部の記憶部に放射線画像データまたは異常情報を記憶し、通信可能な状態になった場合、放射線撮影装置１０６は、記憶部から放射線画像データもしくは異常情報を取得して、制御装置１０７に送信する。
【００２１】
制御装置１０７は、画像処理部１１０、制御部１１１および通信部１１２を有しており、放射線制御部１０４および放射線撮影装置１０６と連携した放射線撮影、画像処理、および検査の実施を制御することが可能である。画像処理部１１０は、通信部１１２により受信された放射線画像データの画像処理を行う。画像処理部１１０は、例えば、放射線画像データに対する階調処理、ノイズ低減処理などの画像処理を実施することが可能である。
【００２２】
制御部１１１は、放射線撮影および検査の実施を制御するための制御情報を検査情報に基づいて生成する。制御部１１１は、通信部１１２を介して、制御情報を放射線制御部１０４および放射線撮影装置１０６に出力して、制御情報に基づいて放射線撮影および検査の実施を制御する。制御部１１１は、検査および撮影に関わる制御の実行の他に、実施予定の検査（保留検査）に関する情報および実施済の検査（終了検査）に関する撮影情報や放射線画像データの保存および、放射線画像データの読み出しに関する制御を行うことが可能である。
【００２３】
通信部１１２は、ケーブルによる有線通信、あるいは無線通信により放射線制御部１０４および放射線撮影装置１０６と通信可能であり、通信インターフェース（Ｉ／Ｆ）を介して、放射線制御部１０４および放射線撮影装置１０６との間で情報の送受信を行うことが可能である。通信部１１２は、放射線制御部１０４から送信された放射線発生装置１０２の照射情報、および放射線撮影装置１０６から送信された放射線画像データまたは異常情報を受信して、制御部１１１に伝送する。
【００２４】
制御装置１０７は、操作部１０８からの操作入力を受け付けて、入力された情報に基づいて、放射線撮影および検査の実施を制御するための制御情報を生成する。操作部１０８は使用者による操作を受け付ける入力インターフェースとして機能する。操作部１０８は操作入力に応じて制御装置１０７へ入力情報を送信する。操作部１０８は、例えば、キーボードやマウスなどの入力デバイスや、タッチパネルなど表示部を有する形式の入力デバイスにより構成することが可能である。操作部１０８は、制御装置１０７からの要求を受信すると、タッチパネルなどの表示部の入力インターフェースの表示切り替えを行う。制御装置１０７は、操作部１０８における表示部の入力インターフェースの表示を制御する表示制御装置としても機能する。例えば、使用者が、操作部１０８を介して、検査を実施するために検査情報を指定する際に、制御装置１０７は、過去の検査において検知された異常情報と異常が検知されたときの検査情報とを対応付けた詳細な異常情報（特定情報）を表示するように入力インターフェースの表示を制御することが可能である。これにより、使用者は異常が検知されたときの検査情報を参照し、特定することができ、同様の検査情報における放射線撮影で異常発生を低減することが可能になる。
【００２５】
また、制御装置１０７は、通信部１１２を介して取得した放射線画像データや、画像処理部１１０による画像処理の結果および検査の結果を表示部１０９に表示させるための表示制御を行う。表示部１０９は放射線撮影のコントロールソフトウェアのユーザインターフェースを表示する出力インターフェースとして機能する。制御装置１０７は、過去の検査において検知された異常情報と異常が検知されたときの検査情報とを対応付けた詳細な異常情報（特定情報）を表示するように表示部１０９の表示を制御することも可能である。詳細な異常情報を使用者に報知表示することで、使用者は異常が検知されたときの検査情報を参照し、特定することができ、同様の検査情報における放射線撮影で異常発生を低減することが可能になる。
【００２６】
また、制御装置１０７は、通信部１１２およびネットワーク１１３を介した外部装置との間で情報の送受信を制御する。放射線撮影システム１０１の制御装置１０７は、ネットワーク１１３を介して、ＨＩＳ（Hospital Information System)／ＲＩＳ（Radiology Information System）１１４やＰＡＣＳ（Picture Archiving and Communication Systems）１１５、Ｖｉｅｗｅｒ１１６、出力装置１１７と接続している。ＨＩＳ／ＲＩＳ１１４は放射線科における患者情報や検査要求情報などの情報を管理する病院情報システム／放射線科情報管理システムである。ＰＡＣＳ１１５は画像保存を主目的としたサーバー（画像保存通信システム）である。Ｖｉｅｗｅｒ１１６はＰＡＣＳ１１５と接続され、主に高精細モニタによって放射線撮影システム１０１で撮影した画像の検像作業や詳細な後処理、診断作業が実施される。出力装置１１７は放射線画像データや特定情報をプリント出力することが可能である。
【００２７】
[放射線撮影装置１０６の構成]
次に、図２を用いて本実施形態における放射線撮影装置１０６の詳細な構成について説明する。放射線撮影装置１０６は、放射線検出部２０１、放射線画像データ変換部２０２、画像データ記憶部２０３、異常情報記憶部２０４、異常検知部２０５、種別判定部２０６、データ制御部２０７、記憶制御部２０８、日時取得部２０９、送信制御部２１０、放射線画像データ送信部２１１および検知情報送信部２１２を有する。
【００２８】
（放射線検出部２０１）
放射線検出部２０１は、放射線発生装置１０２から照射された放射線を検出する。放射線検出部２０１は、被写体Ｈを透過した放射線を画像信号（電荷）として検出する。放射線検出部２０１には、入射光に応じた信号を出力する画素が二次元の領域に配置されている。各画素の光電変換素子は蛍光体により変換された光を電気信号である画像信号（電荷）に変換し、各画素のキャパシタが蓄積を行う。
【００２９】
放射線検出部２０１が放射線を検出すると、放射線画像データ変換部２０２は、放射線検出部２０１から出力されたアナログ信号の画像信号を、デジタル信号の画像信号に変換し、これを放射線画像（放射線画像データ）としてデータ制御部２０７に送信する。放射線画像データ変換部２０２から送信された放射線画像データはデータ制御部２０７に入力され、データ制御部２０７は、放射線画像データを、送信制御部２１０および記憶制御部２０８に送信する。
【００３０】
（異常検知部２０５）
異常検知部２０５は、放射線撮影装置１０６で発生した異常を検知する。異常検知部２０５は、異常を検知するために複数のセンサーを有し、複数のセンサーの計測結果と、異常検知の基準となる閾値とを比較して、計測結果が閾値を超えた場合に、異常検知と判定する。異常検知部２０５は、複数のセンサーの計測結果を識別するための情報を異常検知の判定結果に付加して出力する。異常検知部２０５は、異常を検知するためのセンサーとして、衝撃の異常を検知するための加速度センサー、温度の異常を検知するための温度センサーを有する。また、異常検知部２０５は、異常を検知するためのセンサーとして、通信の異常を検知するために、通信が所定の時間内に完了したか否かを計測する通信時間計測部、バッテリーの充電不足の異常を検知する充電量検知部を有する。具体的には、異常検知部２０５は、異常を検知するための種々の検知部や、通信が所定の時間内に正常に完了したか否かを判定するために通信時間を計測する通信時間計測部等を有している。異常検知部２０５は、種々の検知部や通信時間計測部の計測結果と、異常検知の基準となる閾値とを比較して、計測結果が閾値を超えた場合に、異常検知と判定する。異常検知部２０５は、種々の検知部（例えば、加速度センサー、温度センサー、バッテリー充電量検知部）や通信時間計測部（例えば、タイマー）等を用いることにより、例えば、衝撃、温度異常、通信異常および充電不足などの異常を検知することが可能である。尚、異常の種別は、例示的なものであり、異常の種別は、これらの例に限定されるものではない。また、異常検知部２０５は、異常検知の結果に、種々の検知部や通信時間計測部の種別を識別するための識別情報（異常種別識別用の情報）を付加して出力する。
【００３１】
（種別判定部２０６）
種別判定部２０６は、異常検知部２０５により付加された異常検知部２０５の出力結果に基づいて、異常の種別を判定する。種別判定部２０６は、計測結果を識別するための情報に基づいて、異常の種別を判定する。種別判定部２０６は、異常検知の結果に付加された識別情報を参照することにより、異常検知の種別を特定することができる。具体的には、種別判定部２０６は、識別情報を参照することにより、異常の種別が、衝撃が加えられた異常であるか、温度異常であるか、通信異常であるか、充電不足であるか等を特定することができる。異常検知部２０５によって、放射線撮影装置１０６の異常が検知された場合、種別判定部２０６は、異常検知部２０５によって付加された識別情報に基づいて異常の種類を判定し、異常の種類の判定結果をデータ制御部２０７に送信する。
【００３２】
（日時取得部２０９）
日時取得部２０９は、発生した異常の検知日時を示す情報を取得する。日時取得部２０９は、カレンダー情報および時間を計測するタイマーを有している。日時取得部２０９は、異常検知部２０５と接続しており、異常検知部２０５で異常が検知されると、異常検知部２０５の検知結果は日時取得部２０９に入力される。異常検知部２０５の検知結果が入力されると、日時取得部２０９は、カレンダー情報およびタイマーの時間情報を取得して、異常が検知された日時（異常検知日時）を示す情報をデータ制御部２０７に送信する。
【００３３】
（データ制御部２０７）
異常情報取得部（データ制御部２０７）は、異常の種別の判定結果および異常の検知日時を示す情報に基づいて、異常情報を取得する。すなわち、データ制御部２０７は、種別判定部２０６から入力された異常の種別の判定結果および日時取得部２０９から入力された異常検知日時に基づいて、異常情報を取得する。データ制御部２０７は、異常情報と放射線画像データとを識別するための識別情報（情報識別用の情報）を異常情報または放射線画像データに付加することが可能である。
【００３４】
データ制御部２０７は、生成した異常情報、または、正常な状態で放射線撮影が行われることにより取得された放射線画像データを、送信制御部２１０および記憶制御部２０８に送信する。
【００３５】
（記憶制御部２０８）
放射線撮影装置１０６は、放射線画像の記憶処理、または異常情報の記憶処理を制御するための記憶制御部２０８を有する。記憶制御部２０８は、記憶するデータの属性に応じて使用する記憶部を切り替えることが可能であり、記憶制御部２０８は、放射線画像データの記憶領域として、画像データ記憶部２０３を使用し、異常情報の記憶領域として、異常情報記憶部２０４を使用する。データ制御部２０７から送信された情報が放射線画像データである場合、記憶制御部２０８は画像データ記憶部２０３に放射線画像データを記憶する。データ制御部２０７から送信された情報が異常情報である場合、記憶制御部２０８は異常情報記憶部２０４に異常情報を記憶する。
【００３６】
具体的な処理として、記憶制御部２０８は、識別情報（情報識別用の情報）に基づいて、データ制御部２０７から送信された情報が放射線画像データであるか、または異常情報であるかを識別する。そして、記憶制御部２０８は、データ制御部２０７から受信した情報が異常情報（異常の種別の判定結果および異常検知日時）である場合、異常情報を異常情報記憶部２０４に記憶する。また、記憶制御部２０８は、データ制御部２０７から受信した情報が放射線画像データである場合、放射線画像データを画像データ記憶部２０３に記憶する。また、記憶制御部２０８は、データ制御部２０７のデータの読み出し指示に基づいて、画像データ記憶部２０３もしくは、異常情報記憶部２０４に記憶されている情報の読み出し制御を行うことも可能である。
【００３７】
（送信制御部２１０）
送信制御部２１０は、異常情報または放射線画像データに付加されている識別情報（情報識別用の情報）に基づいて、放射線撮影装置１０６から出力する情報の送信処理を制御する。送信制御部２１０は、送信するデータの属性（異常情報または放射線画像データ）に応じて送信に使用する送信部を切り替える。送信制御部２１０は、放射線画像データの送信処理では放射線画像データ送信部２１１を使用し、異常情報の送信処理では検知情報送信部２１２を使用する。
【００３８】
放射線画像データを送信する場合、送信制御部２１０は画像データ送信部２２１を制御して、放射線画像データを画像データ送信部２２１から制御装置１０７に送信する。また、異常情報を送信する場合、送信制御部２１０は、検知情報送信部２１２を制御して、異常情報を検知情報送信部２１２から制御装置１０７に送信する。放射線撮影装置１０６から送信された放射線画像データまたは異常情報は、制御装置１０７の通信部１１２により受信される。
【００３９】
[制御装置１０７の構成]
次に、図３を用いて本実施形態における制御装置１０７の制御部１１１の詳細な構成について説明する。制御装置１０７は、被検体を透過した放射線を検出して放射線画像を得る検出装置（放射線撮影装置１０６）の制御を行う。制御装置１０７の制御部１１１は、制御装置で記憶している被検体の検査情報から、検出装置（放射線撮影装置１０６）で発生した異常を示す異常情報に対応する検査情報を取得する取得部（検査情報取得部３０１）を有する。また、制御装置１０７の制御部１１１は、異常情報に、取得部（検査情報取得部３０１）で取得された検査情報を付与した特定情報を生成する付与部（検査情報付与部３０２）を有する。また、制御部１１１は、構成要素として、送受信制御部３０４、検査情報記憶部３０５、データ制御部３０６、入出力制御部３０７、検知情報受信部３０８、特定情報出力部３０９、データ受信部３１０を有する。
【００４０】
（データ制御部３０６）
データ制御部３０６は、患者情報、実施予定の検査情報、撮影手技情報の登録、更新、画面の表示制御、放射線撮影および検査の実施を制御するためのフロー全般の制御を行う。
【００４１】
検査情報記憶部３０５は、検査情報のデータベースとして構成され、データ制御部３０６は、例えば、ＨＩＳ／ＲＩＳ１１４から取得した検査情報を、検査情報記憶部３０５に登録したり、登録されている検査情報の更新または削除を行うことが可能である。例えば、ＨＩＳ/ＲＩＳ１１４から、ネットワーク１１３を介して検査情報が送信されると、検査情報は通信部１１２で受信され、制御部１１１の送受信制御部３０４の制御によって、送信された検査情報は、データ受信部３１０で受信処理される。そして、検査情報はデータ受信部３１０からデータ制御部３０６に入力され、データ制御部３０６は、取得した検査情報の登録、更新処理を行う。
【００４２】
（入出力制御部３０７）
入出力制御部３０７は、操作部１０８からの入力情報の受信制御を行う。入出力制御部３０７は、操作部１０８から入力された入力情報をデータ制御部３０６に入力する。データ制御部３０６は、入力情報に基づいて放射線撮影および検査の実施を制御する。また、データ制御部３０６は、放射線撮影および検査の実施の結果を入出力制御部３０７に出力する。入出力制御部３０７は、データ制御部３０６から入力された放射線撮影および検査の実施の結果を表示部１０９に表示するように表示制御を行う。
【００４３】
（検査情報取得部３０１）
制御装置１０７は、複数の検査情報を記憶する記憶部（検査情報記憶部３０５）を有し、取得部（検査情報取得部３０１）は、異常情報に対応する検査情報を記憶部（検査情報記憶部３０５）から取得する。ここで、取得部（検査情報取得部３０１）は、異常情報の異常検知日時に対応する検査スケジュールの検査情報を検索し、異常検知日時に対応する検査スケジュールを含む検査情報を記憶部（検査情報記憶部３０５）から取得する。
【００４４】
放射線撮影装置１０６から異常情報が送信されると、送信された異常情報は、通信部１１２で受信され、制御部１１１の送受信制御部３０４の制御によって、異常情報は検知情報受信部３０８で受信処理される。そして、異常情報は検知情報受信部３０８からデータ制御部３０６に入力され、データ制御部３０６は異常情報を検査情報取得部３０１に入力する。データ制御部３０６は、異常情報に基づいて、検査情報記憶部３０５に登録されている検査情報の検索を行う。ここで、異常情報には、異常の種別の判定結果および異常検知日時に関する情報が含まれており、検査情報取得部３０１は、異常情報のうち異常検知日時に関する情報に基づいて、検査情報記憶部３０５に記憶されている検査情報を検索する。検査情報には、放射線撮影システムで実施予定の検査スケジュール（検査予定日時）に関する情報が含まれており、検査情報取得部３０１は、異常情報の異常検知日時と、検査情報記憶部３０５に記憶されている検査情報の検査スケジュール（検査予定日時）とを比較する。検査情報記憶部３０５に記憶されている検査情報のうち、検査情報取得部３０１は、異常情報の異常検知日時に最も近い直近の検査スケジュール（検査予定日時）を検索し、異常検知日時に対応する検査スケジュール（検査予定日時）を含む検査情報を特定する。そして、検査情報取得部３０１は、特定した検査情報を検査情報記憶部３０５から取得し、取得した検査情報を検査情報付与部３０２に入力する。また、データ制御部３０６は、検知情報受信部３０８から入力された異常情報を検査情報付与部３０２に入力する。
【００４５】
（検査情報付与部３０２）
検査情報付与部３０２は、データ制御部３０６から取得した異常情報に対して、検査情報取得部３０１から取得した検査情報を付与し、異常情報および検査情報に基づく特定情報を生成する。そして、検査情報付与部３０２は、生成した特定情報をデータ制御部３０６に入力する。データ制御部３０６は、異常情報および放射線画像データと、特定情報とを識別するための識別情報（特定情報の識別用の情報）を特定情報に付加することが可能である。データ制御部３０６は、検査情報付与部３０２から取得した特定情報を送受信制御部３０４に入力する。
【００４６】
（送受信制御部３０４）
制御装置１０７は、放射線画像または異常情報の受信処理、および特定情報の出力処理を制御する送受信制御部３０４を有する。送受信制御部３０４は、検知情報受信部３０８およびデータ受信部３１０による受信処理、および特定情報出力部３０９による出力処理を制御する。通信部１１２から情報が送受信制御部３０４に入力された場合、送受信制御部３０４は、異常情報と放射線画像データとを識別するための識別情報（情報識別用の情報）に基づいて、入力された情報が異常情報であるか、放射線画像データであるかを識別する。異常情報が送受信制御部３０４に入力された場合、送受信制御部３０４は、検知情報受信部３０８を制御して異常情報の受信処理を行う。異常情報は検知情報受信部３０８からデータ制御部３０６に入力され、データ制御部３０６は、取得した異常情報を検査情報取得部３０１に入力する。
【００４７】
放射線画像データが送受信制御部３０４に入力された場合、送受信制御部３０４は、データ受信部３１０を制御して放射線画像データの受信処理を行う。放射線画像データはデータ受信部３１０からデータ制御部３０６に入力され、データ制御部３０６は、取得した放射線画像データを画像処理部１１０に入力する。画像処理部１１０は、データ制御部３０６から取得した放射線画像データの画像処理を行う。画像処理部１１０は、例えば、放射線画像データに対する階調処理、ノイズ低減処理などの画像処理を実施することが可能である。
【００４８】
制御装置１０７は、異常情報および検査情報に基づく特定情報を出力する出力部を有する。ここで、送受信制御部３０４および特定情報出力部３０９は、出力部として機能する。特定情報がデータ制御部３０６から送受信制御部３０４に入力された場合、送受信制御部３０４は特定情報出力部３０９を制御して、データ制御部３０６から取得した特定情報を特定情報出力部３０９から出力させる。特定情報出力部３０９から出力された特定情報は、通信部１１２およびネットワーク１１３を介して、出力される。出力された特定情報は、プリンタ等の外部の出力装置１１７から出力される。また、入出力制御部３０７は、特定情報を表示部１０９に表示するように表示制御を行う。使用者は、例えば、表示部１０９の表示、出力装置１１７の出力結果を参照し、特定情報の内容を特定することができ、同様の検査情報における放射線撮影で異常発生を低減することが可能になる。
【００４９】
（検査情報の特定フロー）
次に、本実施形態の放射線撮影システムの情報処理方法の処理の流れを図４のフローチャートを用いて説明する。まず、ステップＳ４０１において、放射線撮影装置１０６の異常検知部２０５が放射線撮影装置１０６の異常を検知する。異常検知部２０５は、種々のセンサーやタイマーの計測結果と、異常検知の基準となる閾値とを比較して、計測結果が閾値を超えた場合に、異常検知と判定する。異常検知部２０５は、異常検知の結果に、センサーやタイマーの種別を識別するための識別情報（異常種別識別用の情報）を付加して、データ制御部２０７に出力する。
【００５０】
ステップＳ４０２において、放射線撮影装置１０６の日時取得部２０９は、異常が検知された日時（異常検知日時）を示す情報を取得する。日時取得部２０９は、異常検知部２０５と接続しており、異常検知部２０５で異常が検知されると、異常検知部２０５の検知結果は日時取得部２０９に入力される。異常検知部２０５の検知結果が入力されると、日時取得部２０９は、カレンダー情報およびタイマーの時間情報を取得して、異常が検知された日時（異常検知日時）を示す情報をデータ制御部２０７に送信する。
【００５１】
次に、ステップＳ４０３において、放射線撮影装置１０６の種別判定部２０６は、異常の種類を判定する。異常検知部２０５は、種々のセンサーやタイマー等を用いることにより、例えば、衝撃、温度異常、通信異常および充電不足などの異常を検知することが可能である。
【００５２】
種別判定部２０６は、異常の種類を判定するための構成として、例えば、加速度センサーを有しており、加速度センサーが所定の閾値加速度を超える加速度を検知した場合、種別判定部２０６は放射線撮影装置１０６に対して異常な衝撃が加えられたと判定する。また、種別判定部２０６は、異常の種類を判定するための構成として、例えば、温度センサーを有しており、温度センサーが所定の閾値温度を超える温度を検知した場合、種別判定部２０６は放射線撮影装置１０６の温度が異常であると判定する。
【００５３】
更に、種別判定部２０６は、異常の種類を判定するための構成として、例えば、制御装置１０７との間で、通信が開始されてから通信完了までの時間を計測する通信時間計測部を有しており、計測された通信時間が基準時間（閾値時間）よりも長い場合、種別判定部２０６は、通信異常と判定する。また、種別判定部２０６は、異常の種類を判定するための構成として、放射線撮影装置１０６の不図示のバッテリーの充電量を検知するバッテリー充電量検知部を有しており、例えば、バッテリー充電量検知部が所定の基準バッテリー残量（閾値残量）よりも少ないバッテリーの充電量を検知した場合、種別判定部２０６は、放射線撮影装置１０６のバッテリーが充電不足であると判定することが可能である。尚、異常の種類を判定するための構成として、加速度センサー、温度センサー、通信時間計測部、およびバッテリー充電量検知部の構成は例示的なものであり、同様の機能を実現することができれば、上記の構成に限定されるものではない。
【００５４】
次に、ステップＳ４０４において、データ制御部２０７は、種別判定部２０６から入力された異常の種別の判定結果および日時取得部２０９から入力された異常検知日時に基づいて、異常情報を生成する。
【００５５】
ステップＳ４０５において、放射線撮影装置１０６が制御装置１０７と通信中である場合（Ｓ４０５−Ｙｅｓ）、処理はステップＳ４０６に進められ、ステップＳ４０６において、異常情報を送信する場合、送信制御部２１０は、検知情報送信部２１２を制御して、異常情報を検知情報送信部２１２から制御装置１０７に送信する。
【００５６】
ステップＳ４０７において、情報が制御装置１０７の通信部１１２を介して、送受信制御部３０４に入力された場合、送受信制御部３０４は、異常情報と放射線画像データとを識別するための識別情報（情報識別用の情報）に基づいて、入力された情報が異常情報であるか、放射線画像データであるかを識別する。異常情報が送受信制御部３０４に入力された場合、送受信制御部３０４は、検知情報受信部３０８を制御して異常情報の受信処理を行う。異常情報は検知情報受信部３０８からデータ制御部３０６を介して検査情報取得部３０１に入力される。
【００５７】
検査情報取得部３０１は、異常情報の異常検知日時と、検査情報記憶部３０５に記憶されている検査情報の検査スケジュール（検査予定日時）とを比較する。検査情報記憶部３０５に記憶されている検査情報のうち、検査情報取得部３０１は、異常情報の異常検知日時に最も近い検査スケジュール（検査予定日時）を検索し、異常検知日時に対応する検査スケジュール（検査予定日時）を含む検査情報を特定する。そして、検査情報取得部３０１は、特定した検査情報を検査情報記憶部３０５から取得し、取得した検査情報を検査情報付与部３０２に入力する。
【００５８】
ステップＳ４０８において、検査情報付与部３０２は、データ制御部３０６から取得した異常情報に対して、検査情報取得部３０１から取得した検査情報を付与し、異常情報および検査情報に基づく特定情報を生成する。そして、検査情報付与部３０２は、生成した特定情報をデータ制御部３０６に入力する。データ制御部３０６は、検査情報付与部３０２から取得した特定情報を送受信制御部３０４に入力する。
【００５９】
尚、放射線撮影装置１０６が制御装置１０７と通信中でない場合に（Ｓ４０５−Ｎｏ）、記憶制御部２０８は異常情報を放射線撮影装置内の記憶部に記憶させ、通信可能な状態になったとき、記憶制御部２０８は放射線撮影装置内の記憶部に記憶した異常情報を送信することも可能である。その場合、検査情報は「不明」として特定情報が作成される。
【００６０】
ステップＳ４０９において、特定情報がデータ制御部３０６から送受信制御部３０４に入力された場合、送受信制御部３０４は特定情報出力部３０９を制御して、データ制御部３０６から取得した特定情報を特定情報出力部３０９から出力する。特定情報出力部３０９から出力された特定情報は、通信部１１２およびネットワーク１１３を介して、出力装置１１７に出力される。
【００６１】
一方、ステップＳ４０５の判定において、放射線撮影装置１０６が制御装置１０７と通信中でない場合（Ｓ４０５−Ｎｏ）、処理はステップＳ４１０に進められ、ステップＳ４１０において、記憶制御部２０８は異常情報を放射線撮影装置内の記憶部に記憶させる。すなわち、記憶制御部２０８は、データ制御部２０７から受信した情報が異常情報（異常の種別の判定結果および異常検知日時）である場合、異常情報を異常情報記憶部２０４に記憶する。
【００６２】
図５は、放射線撮影装置１０６の異常情報記憶部２０４で記憶する異常情報および制御装置１０７から出力する特定情報の一例を示す図である。放射線撮影装置１０６で異常が検知された場合は、放射線撮影装置１０６は異常情報５０３を制御装置１０７へ送信する。図５に示すように、異常情報５０３には異常検知日時と異常の種別とが含まれている。制御装置１０７の検査情報取得部３０１は、異常情報の異常検知日時と、検査情報記憶部３０５に記憶されている検査情報の検査スケジュール（検査予定日時）とを比較して、異常情報の異常検知日時に最も近い直近の検査スケジュール（検査予定日時）を検索し、異常検知日時に対応する検査スケジュール（検査予定日時）を含む検査情報を特定する。そして、検査情報取得部３０１は、特定した検査情報を検査情報記憶部３０５から取得する。制御装置１０７の検査情報付与部３０２は、異常情報に対して、検査情報取得部３０１によって取得された検査情報を付与し、異常情報および検査情報に基づく特定情報５０４を生成する。
【００６３】
特定情報５０４は、図５のように異常検知日時および異常の種別の異常情報に加え、異常を発生させた放射線撮影装置１０６の使用者、撮影プロトコル、場所などの検査情報が対応付けられている。図５に示すように、使用者が認証情報（ＵｓｅｒＩＤ、パスワード）を放射線撮影装置１０６に入力して使用した場合、使用者（ＵｓｅｒＡ）が特定される。ここでは、２０１５年１０月ＡＡ日に使用者（ＵｓｅｒＡ）が放射線撮影装置１０６を使用して、衝撃（異常）を放射線撮影装置１０６に発生させていることを特定することが可能である。特定情報５０４には「ＵｓｅｒＡ」と記される。なお、使用者が認証情報（ＵｓｅｒＩＤ、パスワード）を放射線撮影装置１０６に入力せずに使用した場合、すなわち、使用者がゲストとして使用した場合、特定情報５０４における使用者が特定されず、不明となる。特定情報５０４には「不明」と記される。特定情報５０４は図のような表示部１０９を用いたテキストファイル形式の表示に限らず、出力装置１１７などにより出力してもかまわない。病院側のシステム管理者は、特定情報を参照し、特定情報の内容を特定することができ、同様の検査情報における放射線撮影で異常発生を低減することが可能になる。
【００６４】
（第２実施形態）
第１実施形態においては、異常検知時に放射線撮影装置１０６が異常情報を制御装置１０７に送信し、制御装置１０７で異常情報に検査情報を付与した特定情報を生成する構成を説明した。本実施形態では、制御装置１０７で生成した特定情報を放射線撮影装置１０６に送信し、放射線撮影装置１０６内で特定情報を記憶する構成を説明する。
【００６５】
図６は、第２実施形態に係る放射線撮影装置の構成図を示す図である。図６に示す構成は第１実施形態で説明した放射線撮影装置１０６（図２）の構成とほぼ同一の構成であり、特定情報受信部６０１を付加している点、および図２の送信制御部２１０を送受信制御部２１０ａに変更している点で相違する。以下の説明では、重複を避けるため異なる構成部分である特定情報受信部６０１および送受信制御部２１０ａの処理を説明する。
【００６６】
放射線撮影装置１０６は、放射線画像の送信処理、または異常情報の送信処理、または制御装置１０７から出力された特定情報の受信処理を制御するための送受信制御部２１０ａを有する。送受信制御部２１０ａは、制御装置１０７から出力された特定情報の受信処理を制御し、記憶制御部２０８は、異常情報を記憶する記憶部（異常情報記憶部２０４）に、特定情報を記憶させる。
【００６７】
特定情報が制御装置１０７の通信部１１２から送信されると、放射線撮影装置１０６の送受信制御部２１０ａは、特定情報受信部６０１を制御して特定情報の受信処理を行う。特定情報受信部６０１は通信部１１２から送信された特定情報を受信し、データ制御部２０７に受信した特定情報を入力する。データ制御部２０７は、特定情報受信部６０１から取得した特定情報を記憶制御部２０８に入力する。特定情報には、制御装置１０７のデータ制御部３０６によって、識別情報（特定情報の識別用の情報）が付加されている。この識別情報によって、異常情報および放射線画像データと、特定情報とを識別することが可能である。記憶制御部２０８は、データ制御部２０７から取得した情報が、特定情報である場合、特定情報を異常情報記憶部２０４に記憶する。ここで、異常情報記憶部２０４には、異常情報と、特定情報とが記憶されることになるが、異常情報には、異常情報と放射線画像データとを識別するための識別情報（情報識別用の情報）が付加されている。また、特定情報には、異常情報および放射線画像データと、特定情報とを識別するための識別情報（特定情報の識別用の情報）が付加されている。従って、異常情報記憶部２０４内において、異なる識別情報に基づいて両者を区別することが可能である。
【００６８】
次に、第２実施形態の放射線撮影システムの情報処理方法の処理の流れを図７のフローチャートを用いて説明する。
【００６９】
まず、ステップＳ７０１において、放射線撮影装置１０６の異常検知部２０５が放射線撮影装置１０６の異常を検知する。異常検知部２０５は、種々のセンサーやタイマーの計測結果と、異常検知の基準となる閾値とを比較して、計測結果が閾値を超えた場合に、異常検知と判定する。
【００７０】
放射線撮影装置１０６で異常が検知されると、ステップＳ７０２において、放射線撮影装置１０６の日時取得部２０９は、異常が検知された日時（異常検知日時）を示す情報を取得する。
【００７１】
次に、ステップＳ７０３において、放射線撮影装置１０６の種別判定部２０６は、異常の種類を判定する。異常検知部２０５は、種々のセンサーやタイマー等を用いることにより、例えば、衝撃、温度異常、通信異常および充電不足などの異常を検知することが可能である。
【００７２】
ステップＳ７０４において、データ制御部２０７は、種別判定部２０６から入力された異常の種別の判定結果および日時取得部２０９から入力された異常検知日時に基づいて、異常情報を生成する。
【００７３】
ステップＳ７０５において、放射線撮影装置１０６が制御装置１０７と通信中である場合（Ｓ７０５−Ｙｅｓ）、処理はステップＳ７０６に進められ、ステップＳ７０６において、異常情報を送信する場合、送受信制御部２１０ａは、検知情報送信部２１２を制御して、異常情報を検知情報送信部２１２から制御装置１０７に送信する。
【００７４】
ステップＳ７０７において、情報が制御装置１０７の通信部１１２を介して、送受信制御部３０４に入力された場合、送受信制御部３０４は、異常情報と放射線画像データとを識別するための識別情報（情報識別用の情報）に基づいて、入力された情報が異常情報であるか、放射線画像データであるかを識別する。
【００７５】
異常情報が送受信制御部３０４に入力された場合、送受信制御部３０４は、検知情報受信部３０８を制御して異常情報の受信処理を行う。異常情報は検知情報受信部３０８からデータ制御部３０６を介して検査情報取得部３０１に入力される。
【００７６】
検査情報取得部３０１は、異常情報の異常検知日時と、検査情報記憶部３０５に記憶されている検査情報の検査スケジュール（検査予定日時）とを比較する。検査情報記憶部３０５に記憶されている検査情報のうち、検査情報取得部３０１は、異常情報の異常検知日時に最も近い検査スケジュール（検査予定日時）を検索し、異常検知日時に対応する検査スケジュール（検査予定日時）を含む検査情報を検査情報記憶部３０５から取得し、取得した検査情報を検査情報付与部３０２に入力する。
【００７７】
ステップＳ７０８において、検査情報付与部３０２は、データ制御部３０６から取得した異常情報に対して、検査情報取得部３０１から取得した検査情報を付与し、異常情報および検査情報に基づく特定情報を生成する。
【００７８】
ステップＳ７０９において、特定情報がデータ制御部３０６から送受信制御部３０４に入力された場合、送受信制御部３０４は特定情報出力部３０９を制御して、特定情報を特定情報出力部３０９から放射線撮影装置１０６へ送信する。
【００７９】
そして、ステップＳ７１０において、特定情報が制御装置１０７の通信部１１２から送信されると、放射線撮影装置１０６の送受信制御部２１０ａは、特定情報受信部６０１を制御して特定情報の受信処理を行う。通信部１１２から送信された特定情報は、特定情報受信部６０１およびデータ制御部２０７を介して記憶制御部２０８に入力され、記憶制御部２０８は、データ制御部２０７から取得した情報が、特定情報である場合、特定情報を異常情報記憶部２０４に記憶する。
【００８０】
尚、ステップＳ７０５の判定で、放射線撮影装置１０６が制御装置１０７と通信中でない場合（Ｓ７０５−Ｎｏ）、検査情報を取得することができないため、データ制御部２０７は、検査情報を「不明」とした特定情報を生成し、記憶制御部２０８に入力する。そして、記憶制御部２０８は、データ制御部２０７から取得した特定情報を異常情報記憶部２０４に記憶する。
【００８１】
記憶制御部２０８は、データ制御部２０７のデータの読み出し指示に基づいて、画像データ記憶部２０３もしくは、異常情報記憶部２０４に記憶されている情報の読み出し制御を行うことが可能である。例えば、放射線撮影装置１０６が、異なる制御装置と接続した場合に、記憶制御部２０８は、データ制御部２０７のデータの読み出し指示に基づいて、異常情報記憶部２０４に記憶されている特定情報を読み出す。そして、放射線撮影装置１０６が特定情報を異なる制御装置に送信することにより、異なる制御装置と放射線撮影装置１０６が新たに接続した場合であっても、過去に取得された特定情報を、異なる制御装置と放射線撮影装置１０６との間で共有することができる。
【００８２】
（第３実施形態）
第２実施形態においては、制御装置１０７から取得した特定情報を放射線撮影装置１０６の内部の記憶部（異常情報記憶部２０４）に記憶する構成を説明した。本実施形態では、複数の制御装置で生成した特定情報を外部の記憶装置に記憶する構成を説明する。
【００８３】
図８は、第３実施形態に係る放射線撮影システムにおいて、複数の制御装置１０７、８０４、８０６で生成した特定情報を外部の記憶装置９０３に記憶する構成例を示す図である。本実施形態の放射線撮影システムでは、制御装置から出力された特定情報を記憶する外部の記憶装置９０３を有する。外部の記憶装置９０３は、複数の制御装置１０７、８０４、８０６とネットワーク１１３を介して接続し、複数の制御装置から取得した複数の特定情報を、一つに統合した特定情報として記憶する。
【００８４】
図８において、放射線撮影装置１０６、８０３、８０５がそれぞれ制御装置１０７、８０４、８０６に接続されている。放射線撮影装置１０６、８０３、８０５で生成された異常情報が制御装置１０７、８０４、８０６に送信されると、制御装置１０７、８０４、８０６は、異常情報に基づいて、特定情報８０７、８０８、８０９を生成し、生成した特定情報８０７、８０８、８０９を出力する。
【００８５】
複数の制御装置１０７、８０４、８０６から出力されたそれぞれの特定情報は、ネットワーク１１３を介して、複数の制御装置１０７、８０４、８０６の共通のデータベースとして機能する外部の記憶装置９０３に記憶される。外部の記憶装置９０３は、複数の制御装置１０７、８０４、８０６から取得した複数の特定情報８０７、８０８、８０９を、一つに統合した特定情報８１１として記憶する。
【００８６】
図９は、第３実施形態に係る制御装置１０７の制御部１１１の詳細な構成について説明する図である。図９に示す構成は第２実施形態で説明した制御装置１０７（図３）の構成とほぼ同一の構成であり、特定情報取得部９０１、特定情報統合部９０２および外部の記憶装置９０３を付加している点で相違する。以下の説明では、重複を避けるため異なる構成部分である特定情報取得部９０１、特定情報統合部９０２および外部の記憶装置９０３の処理を説明する。ここで、特定情報取得部９０１は、外部の記憶部（記憶装置９０３）から特定情報を取得する。統合部（特定情報統合部９０２）は、付与部（検査情報付与部３０２）で生成された特定情報と、外部の記憶部（記憶装置９０３）から取得した特定情報とを一つの特定情報として統合する。ここで、制御装置１０７の出力部（送受信制御部３０４および特定情報出力部３０９）は、統合された特定情報を外部の記憶部（記憶装置９０３）に出力する。制御装置１０７の出力部（送受信制御部３０４および特定情報出力部３０９）は、統合された特定情報を出力装置１１７に出力することも可能である。
【００８７】
外部の記憶装置９０３は、制御装置１０７のデータベースとして機能する。外部の記憶装置９０３には特定情報が記憶されている。外部の記憶装置９０３に記憶されている特定情報には、制御装置１０７で生成された特定情報や他の制御装置で生成された特定情報が含まれる。
【００８８】
特定情報取得部９０１は、データ制御部３０６、送受信制御部３０４および通信部１１２を介して、外部の記憶装置９０３から特定情報を取得する。
【００８９】
検査情報付与部３０２は、データ制御部３０６から取得した異常情報に対して、検査情報取得部３０１から取得した検査情報を付与し、異常情報および検査情報に基づく特定情報を生成する。
【００９０】
そして、特定情報統合部９０２は、検査情報付与部３０２によって生成された特定情報と、特定情報取得部９０１によって外部の記憶装置９０３から取得した特定情報とを取得する。そして、特定情報統合部９０２は、外部の記憶装置９０３から取得した特定情報と、検査情報付与部３０２によって生成された特定情報とを一つの特定情報として統合し、データ制御部３０６および送受信制御部３０４を介して、外部の記憶装置９０３に送信する。
【００９１】
次に、第３実施形態の放射線撮影システムの情報処理方法の処理の流れを図１０のフローチャートを用いて説明する。まず、ステップＳ１００１において、放射線撮影装置１０６の異常検知部２０５が放射線撮影装置１０６の異常を検知する。異常検知部２０５は、種々のセンサーやタイマーの計測結果と、異常検知の基準となる閾値とを比較して、計測結果が閾値を超えた場合に、異常検知と判定する。
【００９２】
放射線撮影装置１０６で異常が検知されると、ステップＳ１００２において、放射線撮影装置１０６の日時取得部２０９は、異常が検知された日時（異常検知日時）を示す情報を取得する。
【００９３】
次に、ステップＳ１００３において、放射線撮影装置１０６の種別判定部２０６は、異常の種類を判定する。異常検知部２０５は、種々のセンサーやタイマー等を用いることにより、例えば、衝撃、温度異常、通信異常および充電不足などの異常を検知することが可能である。
【００９４】
ステップＳ１００４において、データ制御部２０７は、種別判定部２０６から入力された異常の種別の判定結果および日時取得部２０９から入力された異常検知日時に基づいて、異常情報を生成する。
【００９５】
ステップＳ１００５において、放射線撮影装置１０６が制御装置１０７と通信中である場合（Ｓ１００５−Ｙｅｓ）、処理はステップＳ１００６に進められ、ステップＳ１００６において、異常情報を送信する場合、送信制御部２１０は、検知情報送信部２１２を制御して、異常情報を検知情報送信部２１２から制御装置１０７に送信する。
【００９６】
そして、ステップＳ１００７で、情報が制御装置１０７の通信部１１２を介して、送受信制御部３０４に入力された場合、送受信制御部３０４は、異常情報と放射線画像データとを識別するための識別情報（情報識別用の情報）に基づいて、入力された情報が異常情報であるか、放射線画像データであるかを識別する。
【００９７】
異常情報が送受信制御部３０４に入力された場合、送受信制御部３０４は、検知情報受信部３０８を制御して異常情報の受信処理を行う。異常情報は検知情報受信部３０８からデータ制御部３０６を介して検査情報取得部３０１に入力される。
【００９８】
検査情報取得部３０１は、異常情報の異常検知日時と、検査情報記憶部３０５に記憶されている検査情報の検査スケジュール（検査予定日時）とを比較する。検査情報記憶部３０５に記憶されている検査情報のうち、検査情報取得部３０１は、異常情報の異常検知日時に最も近い検査スケジュール（検査予定日時）を検索し、異常検知日時に対応する検査スケジュール（検査予定日時）を含む検査情報を検査情報記憶部３０５から取得し、取得した検査情報を検査情報付与部３０２に入力する。
【００９９】
ステップＳ１００８において、検査情報付与部３０２は、データ制御部３０６から取得した異常情報に対して、検査情報取得部３０１から取得した検査情報を付与し、異常情報および検査情報に基づく特定情報を生成する。
【０１００】
ステップＳ１００９において、特定情報がデータ制御部３０６から送受信制御部３０４に入力された場合、送受信制御部３０４は特定情報出力部３０９を制御して、特定情報を特定情報出力部３０９から出力する。送受信制御部３０４は特定情報出力部３０９を制御して、特定情報を特定情報出力部３０９から放射線撮影装置１０６へ送信する。
【０１０１】
一方、ステップＳ１００５の判定において、放射線撮影装置１０６が制御装置１０７と通信中でない場合（Ｓ１００５−Ｎｏ）、処理はステップＳ１０１０に進められ、ステップＳ１０１０において、記憶制御部２０８は異常情報を放射線撮影装置内の記憶部に記憶させる。すなわち、記憶制御部２０８は、データ制御部２０７から受信した情報が異常情報（異常の種別の判定結果および異常検知日時）である場合、異常情報を異常情報記憶部２０４に記憶する。尚、ステップＳ１００５の判定で、放射線撮影装置１０６が制御装置１０７と通信中でない場合（Ｓ１００５−Ｎｏ）、検査情報を取得することができないため、データ制御部２０７は、検査情報を「不明」とした特定情報を生成し、記憶制御部２０８に入力する。そして、記憶制御部２０８は、データ制御部２０７から取得した特定情報を異常情報記憶部２０４に記憶する。
【０１０２】
次に、ステップＳ１０１１において、制御装置１０７の検査情報付与部３０２が保持している特定情報の中に、検査情報が「不明」である異常検知日時の異常情報がある場合に（Ｓ１０１１−Ｙｅｓ）、処理はステップＳ１０１２に進められる。そして、ステップＳ１０１２において、制御装置１０７の特定情報取得部９０１は、制御装置１０７と接続している検査情報の送信元である放射線撮影装置１０６と同じ放射線撮影装置の特定情報を外部の記憶装置９０３から取得する。
【０１０３】
続いてステップＳ１０１３において、特定情報取得部９０１は、取得した特定情報から「不明」の異常検知日時の検査情報を検索する。そして、ステップＳ１０１４において、検索した結果、検査情報が見つかった場合（Ｓ１０１４−Ｙｅｓ）、処理はステップＳ１０１５に進められ、ステップＳ１０１５において、検査情報付与部３０２は、「不明」である検査情報を、特定情報取得部９０１によって検索された検査情報で更新する。検査情報付与部３０２は、検索された検査情報に基づく特定情報を生成し、生成した特定情報を特定情報統合部９０２に入力する。特定情報統合部９０２は、外部の記憶装置９０３から取得した特定情報と、検査情報付与部３０２によって生成された特定情報とを一つの特定情報として統合する。そして、特定情報統合部９０２は、統合した特定情報をデータ制御部３０６に入力する。そして、ステップＳ１０１６において、データ制御部３０６は特定情報統合部９０２から取得した特定情報を送受信制御部３０４に入力し、送受信制御部３０４は特定情報出力部３０９を制御して、特定情報を特定情報出力部３０９から外部の記憶装置９０３へ送信する。
【０１０４】
一方、ステップＳ１０１４において、検索した結果、検査情報が見つからなかった場合（Ｓ１０１４−Ｎｏ）、「不明」である検査情報は更新されず、処理はステップＳ１０１６に進められ、検査情報付与部３０２は、検査情報を「不明」とした特定情報をデータ制御部３０６に入力する。そして、ステップＳ１０１６において、データ制御部３０６は検査情報付与部３０２から取得した特定情報を送受信制御部３０４に入力し、送受信制御部３０４は特定情報出力部３０９を制御して、特定情報を特定情報出力部３０９から外部の記憶装置９０３へ送信する。
【０１０５】
ステップＳ１０１１において、制御装置１０７の検査情報付与部３０２が保持している特定情報の中に、検査情報が「不明」である異常検知日時の異常情報がない場合に（Ｓ１０１１−Ｎｏ）、Ｓ１０１６において、データ制御部３０６は検査情報付与部３０２から取得した特定情報を送受信制御部３０４に入力し、送受信制御部３０４は特定情報出力部３０９を制御して、特定情報を特定情報出力部３０９から外部の記憶装置９０３へ送信する。
【０１０６】
本実施形態によれば、複数の制御装置で特定された複数の特定情報を一つの特定情報として統合化して外部の記憶装置に記憶しておく。このような構成にすることで、放射線撮影装置１０６の内部のメモリ容量を削減することが可能になる。また、放射線撮影装置１０６と通信していない場合など、制御装置１０７が保持している特定情報の中に、検査情報が「不明」である情報がある場合に、外部の記憶装置から取得した特定情報に基づいて、検査情報が「不明」である情報を補って、特定情報を生成することが可能になる。
【０１０７】
（第４実施形態）
第４実施形態においては、放射線撮影システムにおいて、異常を発生させた放射線撮影装置の使用者を特定する構成を説明する。
【０１０８】
図１１は、放射線撮影装置１０６の異常情報記憶部２０４で記憶する異常情報および制御装置１０７から出力する特定情報の一例を示す図である。放射線撮影装置１０６で異常が検知された場合、放射線撮影装置１０６は異常情報１１０３を制御装置１０７へ送信する。
【０１０９】
図１１に示すように、異常情報１１０３には異常検知日時と異常の種別とが含まれている。異常の種別には、異常のレベルを示す情報が含まれる。例えば、異常の種別として衝撃を例にすると、レベルＡは異常のレベル（衝撃）が最も大きく、レベルＢは異常のレベルが中程度を示し、レベルＣは、異常のレベルが最も小さい異常であることを示している。
【０１１０】
制御装置１０７の検査情報取得部３０１（特定部）は、異常情報の異常検知日時と、検査情報記憶部３０５に記憶されている検査情報の検査スケジュール（検査予定日時）とを比較して、異常情報の異常検知日時に最も近い直近の検査スケジュール（検査予定日時）を検索し、異常検知日時に対応する検査スケジュール（検査予定日時）を含む検査情報を特定する。
【０１１１】
制御装置１０７の検査情報付与部３０２は、異常情報に対して、検査情報取得部３０１によって取得された検査情報を付与し、異常情報および検査情報に基づく特定情報１１０４を生成する。
【０１１２】
ここで、異常情報１１０３に対応する検査情報には、異常を発生させた放射線撮影装置１０６の使用者の情報が含まれている。本実施形態においては、使用者は放射線撮影装置１０６を使用する際に、使用者が不明にならないように、使用者を特定するための認証情報（ＵｓｅｒＩＤ、パスワード）の入力が必要とされる。入力された認証情報に基づいて、使用者による放射線撮影装置１０６の使用が許可される。認証情報が使用者の情報として検査情報に含まれている。制御装置１０７の検査情報取得部３０１（特定部）は、異常情報１１０３に対応する検査情報に基づいて、異常を発生させた放射線撮影装置１０６の使用者を特定するこが可能である。
【０１１３】
検査情報取得部３０１（特定部）は、例えば、２０１５年１０月Ｘ１日に使用者Ｂ（ＵｓｅｒＢ）が放射線撮影装置１０６を使用して、レベルＢの衝撃（異常）を放射線撮影装置１０６に発生させていることを特定することが可能である。また、検査情報取得部３０１（特定部）は、使用者Ｃ（ＵｓｅｒＣ）が２０１５年１０月Ｘ１日に放射線撮影装置１０６を使用して、レベルＣの衝撃（異常）を放射線撮影装置１０６に発生させていることを特定することが可能である。
【０１１４】
検査情報取得部３０１（特定部）は、使用者により入力された認証情報に基づいて、放射線撮影装置１０６を使用した使用者を特定することができ、また、入力された認証情報の履歴に基づいて、放射線撮影装置１０６を最後に使用した使用者を特定することができる。例えば、図１１に示す例では、検査情報取得部３０１（特定部）は、２０１５年１０月Ｘ２日にＵｓｅｒＡが、放射線撮影装置１０６を最後に使用して、レベルＡの衝撃（異常）を放射線撮影装置１０６に発生させていることを特定することができる。
【０１１５】
図１２は、第４実施形態の制御装置１０７における制御部１１１の構成を説明する図である。本実施形態の制御部１１１では、図３の構成に対して、計測部１２１１が追加されており、計測部１２１１は、放射線撮影装置１０６に異常を発生させた使用者の異常検知回数を計測する。放射線撮影装置１０６に異常を発生させた使用者は、使用者の情報（認証情報）に基づいて、検査情報取得部３０１（特定部）により特定され、特定された使用者の情報（認証情報）は計測部１２１１に入力される。計測部１２１１に使用者の情報（認証情報）が入力されると、計測部１２１１は、異常を発生させた使用者の異常検知回数を計測する。例えば、図１１の例では、使用者Ｂ（ＵｓｅｒＢ）は、２回の異常を発生させており、使用者Ａ（ＵｓｅｒＡ）、および使用者Ｃ（ＵｓｅｒＣ）は、それぞれ１回の異常を発生させている。計測部１２１１による異常検知回数の計測結果は、データ制御部３０６、特定情報出力３０９を介して出力される。
【０１１６】
計測部１２１１による異常検知回数の計測結果に基づいて、放射線撮影システムにおいて、異常を発生させる頻度の高い使用者を特定することができる（例えば、図１１の例では、使用者Ｂ（ＵｓｅｒＢ））。計測部１２１１の計測結果に基づいて、病院側のシステム管理者は、異常を発生させる頻度の高い使用者に対して使用方法の改善などの指導を行うことができる。
【０１１７】
異常情報１１０３には、異常のレベルを示す情報が含まれ、異常情報に対応する検査情報には、異常を発生させた放射線撮影装置１０６の使用者の情報が含まれる。検査情報取得部３０１（特定部）は、異常のレベルを示す情報の比較に基づいて、発生した異常のうち最も大きい異常を発生させた放射線撮影装置１０６の使用者を特定することができる。例えば、図１１の例では、最も大きい異常（衝撃レベルＡ）を発生させた放射線撮影装置１０６の使用者（ＵｓｅｒＡ）が特定される。発生した異常のうち最も大きい異常を発生させた放射線撮影装置１０６の使用者は、放射線撮影装置１０６にダメージを与えた可能性が高い。検査情報取得部３０１（特定部）の特定結果に基づいて、病院側のシステム管理者は、最も大きい異常を発生させた使用者に対して使用方法の改善などの指導を行うことができる。
【０１１８】
図１３は、第４実施形態に係る放射線撮影システムにおいて、複数の制御装置１０７、８０４、８０６で生成した特定情報を外部の記憶装置９０３に記憶する構成例を示す図である。本実施形態の放射線撮影システムでは、複数の制御装置１０７、８０４、８０６から出力された特定情報１３０７、１３０８、１３０９を記憶する外部の記憶装置９０３を有する。外部の記憶装置９０３は、複数の制御装置１０７、８０４、８０６とネットワーク１１３を介して接続し、複数の制御装置から取得した複数の特定情報１３０７、１３０８、１３０９を、一つに統合した特定情報１３１１として記憶する。
【０１１９】
図１３において、放射線撮影装置１０６、８０３、８０５がそれぞれ制御装置１０７、８０４、８０６に接続されている。放射線撮影装置１０６、８０３、８０５で生成された異常情報が制御装置１０７、８０４、８０６に送信されると、制御装置１０７、８０４、８０６は、異常情報に基づいて、特定情報１３０７、１３０８、１３０９を生成し、生成した特定情報１３０７、１３０８、１３０９を出力する。
【０１２０】
図１３に示す例では、２０１５年１０月ＡＡ日に、放射線撮影装置１０６を使用者Ａ（ＵｓｅｒＡ）が２回使用して、レベルＡの衝撃（異常）を放射線撮影装置１０６に発生させている。また、２０１５年１０月ＢＢ日に、放射線撮影装置８０３を使用者Ｂ（ＵｓｅｒＢ）が使用して、レベルＢの衝撃（異常）を放射線撮影装置８０３に発生させている。そして、２０１５年１０月ＣＣ日に、放射線撮影装置８０５を使用者Ｃ（ＵｓｅｒＣ）が使用して、レベルＣの衝撃（異常）を放射線撮影装置８０５に発生させている。
【０１２１】
外部の記憶装置９０３は、複数の制御装置１０７、８０４、８０６から取得した複数の特定情報１３０７、１３０８、１３０９を、一つに統合した特定情報１３１１を記憶する、各制御装置のデータベースとして機能する。放射線撮影システムにおいて、各制御装置は、データ制御部３０６、送受信制御部３０４、通信部１１２を介して、外部の記憶装置９０３に記憶されている特定情報１３１１を参照することにより、各放射線撮影装置において発生した異常のレベル、異常を発生させた使用者、各使用者の異常検知回数を特定することができる。
【０１２２】
放射線撮影システム（特定部）は、異常検知回数に基づいて、異常を発生させる頻度の高い使用者を特定することができる（例えば、図１３の例では、使用者Ａ（ＵｓｅｒＡ））。病院側のシステム管理者は、異常を発生させる頻度の高い使用者に対して使用方法の改善などの指導を行うことができる。
【０１２３】
また、放射線撮影システム（特定部）は、異常のレベルを示す情報に基づいて、発生した異常のうち最も大きい異常を発生させた放射線撮影装置の使用者を特定することができる。例えば、図１３の例では、最も大きい異常（衝撃レベルＡ）を発生させた放射線撮影装置の使用者（ＵｓｅｒＡ）が特定される。発生した異常のうち最も大きい異常を発生させた放射線撮影装置の使用者は、放射線撮影装置にダメージを与えた可能性が高い。病院側のシステム管理者は、最も大きい異常を発生させた使用者に対して使用方法の改善などの指導を行うことができる。
【０１２４】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１２５】
１０１：放射線撮影システム、１０６：放射線撮影装置、１０７：制御装置、２０１：放射線検出部、２０５：異常検知部、２０６：種別判定部、２０７：データ制御部、２０９：日時取得部
【図１】
2017170118.tif 000003
【図２】
2017170118.tif 000004
【図３】
2017170118.tif 000005
【図４】
2017170118.tif 000006
【図５】
2017170118.tif 000007
【図６】
2017170118.tif 000008
【図７】
2017170118.tif 000009
【図８】
2017170118.tif 000010
【図９】
2017170118.tif 000011
【図１０】
2017170118.tif 000012
【図１１】
2017170118.tif 000013
【図１２】
2017170118.tif 000014
【図１３】
2017170118.tif 000015